(57)【特許請求の範囲】
【請求項１】
成形されたアプリケータ部材（８）を有する、まつ毛および／またはまゆ毛に製品（Ｐ）を塗布するアプリケータ（２）であって、前記アプリケータ部材が、
長手方向軸（Ｘ）に沿って延在するコア（１０）と、
正面図において対称の形状を有する歯（２０）と
を有し、前記歯は底部および頂部を有し、前記頂部は、前記歯の上半分に対応し、前記歯が、その頂部においてのみ、正面図において前記歯の自由端（２６）の方向に細くなっており、かつ変曲点（Ｐ１）を各々有する２つの向かい合う縁部（２４）を有し、前記変曲点が互いに同じ勾配を有しかつ前記歯の同じ軸位置に作製されており、前記変曲点が前記歯の頂部に位置する、アプリケータ（２）。
【請求項２】
前記歯（２０）が、平坦化面（Ｗ）に沿って平坦にされた横断面を有する、請求項１に記載のアプリケータ。
【請求項３】
前記変曲点（Ｐ１）の勾配が３０°〜８０°である、請求項１または２に記載のアプリケータ。
【請求項４】
前記歯（２０）が、少なくとも１つの長手方向列（３０）に配置されている、請求項１〜３のいずれか一項に記載のアプリケータ。
【請求項５】
前記歯（２０）が、歯同士で一定でない高さ（ｈ）を有する、請求項１〜４のいずれか一項に記載のアプリケータ。
【請求項６】
前記歯（２０）の頂部（２２）の高さが、歯同士で一定であり、前記歯（２０）の底部（２１）の高さが、歯同士で一定でなく、特に０ｍｍ〜５ｍｍである、請求項５に記載のアプリケータ。
【請求項７】
前記歯（２０）が、その自由端（２６）の方向により薄くなっている、請求項１〜６のいずれか一項に記載のアプリケータ。
【請求項８】
前記歯（２０）の平坦化面（Ｗ）が、前記コア（１０）の長手方向軸（Ｘ）と６０°〜１２０°の角度を形成し、特に、前記コア（１０）の長手方向軸（Ｘ）と直交している、請求項２〜７のいずれか一項に記載のアプリケータ。
【請求項９】
前記歯（２０）の平坦化面（Ｗ）が、前記コア（１０）の長手方向軸（Ｘ）とゼロの角度を形成している、請求項２〜７のいずれか一項に記載のアプリケータ。
【請求項１０】
請求項１〜９のいずれか一項に記載のアプリケータ（２）を有する包装および塗布デバイス（１）。
【発明の詳細な説明】
【技術分野】
【０００１】
本発明は、成形されたアプリケータ部材を有する、まつ毛および／またはまゆ毛に製品を塗布するアプリケータと、そのようなアプリケータを備える包装および塗布デバイスとに関する。
【背景技術】
【０００２】
コアおよびそれと一体成形された歯を有するアプリケータ部材を有する多数のアプリケータは、すでに提案されている。
【０００３】
欧州特許出願公開第１０７０４６６号明細書および仏国特許出願公開第２８３７０７７号明細書は、２列の歯を有するコームを開示しており、各列の歯は、歯の自由端に向かって先細りしている平坦化された横断面を有する。仏国特許出願公開第２８３７０７７号明細書は、特に、ジグザグ形の全体形状を有する歯について記載しており、各歯の方向の変化は、製品を保持することが可能なへこみおよび出っ張りを形成する。
【０００４】
仏国特許出願公開第２９６１３８４号明細書および仏国特許出願公開第２９２２４２２号明細書は、平坦な形状の第１の長手方向面と、丸くされた、特に凸面の形状の第２の長手方向面とを有する、正面図において非対称の形状の歯を有するブラシを開示しており、歯は、その自由端に向かって先細りしている。
【０００５】
米国特許出願公開第２００７／００６２５５１号明細書および米国特許出願公開第２０１２／０１９２８９２号明細書は、正面図において形状が対称でない歯を有するマスカラアプリケータを開示している。
【０００６】
米国特許出願公開第２００３／０１６３８８４号明細書は、いかなる変曲点も提示しない歯を有するマスカラアプリケータを開示している。
【発明の概要】
【発明が解決しようとする課題】
【０００７】
まつ毛が可能な限り効果的に塗られそして分離されるように使用者がメイクアップすることを可能にするために、成形されたアプリケータ部材を有するアプリケータをさらに改善することが必要とされている。
【０００８】
また、製品ですでに被覆されているか否かにかかわらず、まつ毛またはまゆ毛を束でメイクアップすることを可能にするアプリケータから利益を得ることが必要とされている。
【課題を解決するための手段】
【０００９】
本発明の主題は、その局面の１つによれば、成形されたアプリケータ部材を有する、まつ毛および／またはまゆ毛に製品を塗布するアプリケータであり、このアプリケータ部材は、
長手方向軸に沿って延在するコアと、
歯と
を有し、上記歯は、正面図において歯の自由端の方向に細くなっており、かつ変曲点を有する少なくとも１つの縁部を有する。
特に、本発明は、成形されたアプリケータ部材（８）を有する、まつ毛および／またはまゆ毛に製品（Ｐ）を塗布するアプリケータ（２）であって、前記アプリケータ部材が、
長手方向軸（Ｘ）に沿って延在するコア（１０）と、
正面図において対称の形状を有する歯（２０）と
を有し、前記歯は底部および頂部を有し、前記頂部は、前記歯の上半分に対応し、前記歯が、その頂部においてのみ、正面図において前記歯の自由端（２６）の方向に細くなっており、かつ変曲点（Ｐ１）を各々有する２つの向かい合う縁部（２４）を有し、前記変曲点が互いに同じ勾配を有しかつ前記歯の同じ軸位置に作製されており、前記変曲点が前記歯の頂部に位置する。
【００１０】
そのような歯の形状は、化粧品、特にマスカラとともにブラシが使用されるとき、歯の上での製品の過度の保持を防止し、歯とまつ毛および／またはまゆ毛との間に比較的大きい接触表面を有することを可能にし、これにより、塗布中にまつ毛および／またはまゆ毛に製品を十分に塗ることを可能にする。
【００１１】
また、歯が正面図において歯の自由端の方向に細くなっており、かつ変曲点を有する縁部を有することで、まつ毛の列の分離を促進し、製品の塗布中またはコーミング中に、しっかりと画定されたまつ毛の多数の束を獲得し、そしてまつ毛の過度に大きい塊の形成を防止する。
【００１２】
変曲点の存在は、まつ毛との接触の漸進を確実にし、隆起部（ｒｉｄｇｅ）の存在を回避する。
【００１３】
「コアの長手方向軸」という表現は、コアの横断面の質量中心のすべてを連結する線を示す。長手方向軸は、中心軸であり得、または、特にコアが円形の横断面もしくは正多角形の全体形状の横断面を有するとき、コアの対称軸ですらあり得る。コアの長手方向軸は、直線または曲線であり得、そして、コアの横断面のいくつかまたはさらには全てについての対称面であり得る平面内に含まれ得る。好ましくは、コアの長手方向軸は直線である。
【００１４】
「歯」という用語は、製品を塗布し、そしてまつ毛および／またはまゆ毛を分離する働きをし、コアの長手方向軸に直交する歯の最大寸法によって画定される長手方向軸に沿って延在し、そして本発明によって作製されるところの個別化可能な突出要素を示す。正面図において、歯は、その自由端で、特に歯の中央平面でぶつかる２つの向かい合う縁部を有する。
【００１５】
歯は、底部および頂部を有しうるものであり、１又は複数の変曲点が上記頂部に位置する。上記頂部は、特に歯の上半分に対応する。底部では、歯の縁部が、好ましくは直線部分によって形成される。縁部の直線部分は、有利には、互いに対して平行である。一変形形態では、縁部の直線部分は互いに対して平行でなく、歯の自由端の方向に、互いに向かって収束し、または互いから離れる方へ発散する。
【００１６】
「正面図」という表現は、上記歯の長手方向軸および横断面におけるその最大寸法の軸によって画定される平面上への歯の投影図を示す。歯が軸対称であるとき、正面図は、歯の任意の長手方向面上への投影図として定義される。歯が、平坦にされた全体形状を有するとき、正面図は、歯の平坦化面（ｆｌａｔｔｅｎｉｎｇ  ｐｌａｎｅ）に直交する方向の歯の投影図に対応する。
【００１７】
「歯がその自由端の方向に細くなる」という表現は、歯の長手方向軸に直交して測定される歯の幅が、歯の自由端の方向に頂部に向かって減少することを意味すると理解されたい。
【００１８】
「歯が、変曲点を有する少なくとも１つの縁部を有する」という表現は、歯が正面図で見られるとき、歯の縁部のうち、歯の長さの少なくとも一部分に沿って曲線をたどる少なくとも一方の縁部が、変曲点として知られる１つの点で凹形を変化させるように作製された歯を示す。このとき、この点における接線は、上記縁部によってたどられる曲線を横切る。
【００１９】
したがって、歯は、有利には、曲線にされた縁部の領域内に隆起部をもたず、これにより、製品がはまり込んだままで歯の特定の部分にくっつく状況を回避することが可能になる。
【００２０】
変曲点の勾配、すなわち変曲点を有する縁部によってたどられる曲線に対するこの点における接線と歯の長手方向軸との間に形成される角度は、３０°〜８０°であり得る。
【００２１】
歯は、２つの向かい合う縁部を有し得、各縁部は変曲点を有する。
【００２２】
歯は、好ましくは、正面図において対称の形状を有する。この場合、歯の２つの向かい合う縁部は各々、同じ勾配を有しかつ歯の同じ軸位置に作製された変曲点を有する。
【００２３】
一変形形態では、歯は、正面図において非対称の形状を有する。歯は、特に、変曲点を有する単一の縁部を有しうる。一変形形態として、歯の２つの向かい合う縁部が各々、変曲点を有するが、それらの変曲点は互いに、異なる勾配を有し、かつ歯の異なる軸位置に作製されている。
【００２４】
変曲点は、歯の中央平面と、この中央平面から最も遠く離れた側面との間の中間に位置され得、上記側面は、中央平面に対して平行であり、変曲点と同じ側で歯の上に存在する。
【００２５】
歯は、有利には、コアの上で、１つまたは複数の長手方向列に配置される。１列の歯は、互いに位置合わせされ、または互いにずらされ、特に互い違いにされた列で配置されうる。
【００２６】
好ましくは、列は、コアの周りに等しく分布される。
【００２７】
１つの列の中で、歯は、コアの長手方向軸に直交して配置されうる。一変形形態では、歯は、コアの長手方向軸に対して斜めに配置される。
【００２８】
歯は、コアの長手方向軸に直交する方へ向けられた長手方向軸に沿って延在し得る。一変形形態では、歯は、コアの長手方向軸に対して斜めに向けられた長手方向軸に沿って延在する。
【００２９】
単一の長手方向列内の歯間の間隔は、一定であり得る。一変形形態では、単一の長手方向列内の歯間の間隔は一定でない。
【００３０】
歯は、好ましくは、歯の頂部でのみ細い。
【００３１】
正面図において、歯の最大幅は、４ｍｍ以下、より良好には３ｍｍ以下、さらにより良好には２ｍｍ以下であり得る。歯の最大幅は、好ましくは、歯の底部に位置する。
【００３２】
別の実施形態では、歯の底部における歯の幅が、厳密には、上記歯の最大幅を下回りうる。
【００３３】
歯の高さは、５ｍｍ以下、より良好には３ｍｍ以下であり得、歯の高さは、歯の長手方向軸に沿った歯の寸法である。
【００３４】
歯は、すべて同じ高さであり得る。一変形形態では、歯は、歯同士で一定でない高さを有する。この場合、歯の頂部の高さは、歯同士で互いに一定であり得、歯の下方部分の高さは、歯同士で一定でなく、特に０ｍｍ〜５ｍｍ、より良好には１ｍｍ〜４ｍｍであり得る。
【００３５】
歯は、平坦化された横断面を有しうる。すなわち、歯の高さの少なくとも一部にわたって、歯の伸長方向に直交して測定される歯の横断面を有し、上記横断面は、平坦化面において細長い形状を有する、すなわち厚さより幅が大きい。歯の平坦化面は、コアの長手方向軸に対して６０°〜１２０°の角度を形成し得、平坦化面は、好ましくは、コアの長手方向軸に直交する。一変形形態では、歯の平坦化面は、コアの長手方向軸に対してゼロの角度を形成する。
【００３６】
したがって、歯の幅と歯の厚さとの比は、２以上、より良好には３以上であり得る。
【００３７】
歯はまた、側面図において、歯の自由端の方向に、歯の高さの少なくとも一部にわたって、特に歯の頂部内で、より薄くなり得る。すなわち歯の長手方向軸に直交して測定される歯の厚さは、歯の自由端の方向に頂部に向かって減少する。
【００３８】
「側面図」という表現は、歯の平坦化面に対して直角をなしかつ歯の長手方向軸に対して平行な平面上への歯の投影図を示す。
【００３９】
歯の最大厚さは、０．２ｍｍ〜１ｍｍ、より良好には０．４ｍｍ〜０．８ｍｍであり得、この最大厚さは、横断面で、歯の最大幅の方向に対して直角をなす方向の歯の寸法である。歯の厚さは、歯の平坦化面が歯の長手方向軸に直交するとき、コアの長手方向軸に対して平行に測定されうる。歯の最大厚さは、特に歯がその自由端の方向により薄くなるとき、歯の基部に位置し得る。
【００４０】
歯の底部では、歯は、円形、卵形、または多角形、例えば方形の横断面を有しうる。
【００４１】
歯の２つの向かい合う縁部はそれぞれ、頂部と底部との間の接合部に隆起部を有しうる。
【００４２】
歯は、特にその自由端に、少なくとも１つのノッチを有しうる。このノッチは、歯の内部から歯の周辺部に向かって延在する小さい開口部の形であり得る。好ましくは、１つまたは複数のノッチは、貫通ノッチである。１つまたは複数のノッチは、好ましくは、歯が正面から見られたときに見ることができる。１つまたは複数のノッチは、好ましくは、歯の平坦化面に作製される。
【００４３】
歯は、必要ならば、すべて同一であり得、１つの相似変換を与えまたは上記相似変換をとりうる。
【００４４】
歯は、好ましくは、コアの少なくとも一部と、より良好にはコアのすべてと一緒に成形される。歯は、コアの一部と、より良好にはコアのすべてと同じ材料から作られうる。したがって、歯は、コアの少なくとも一部と、より良好にはコアのすべてとともに、熱可塑性材料から射出成形されうる。
【００４５】
一変形形態では、歯およびコアは、異なる材料から、例えば二重射出成形によって作られる。歯は、例えば、コア中の開口部を通って成形される。歯は、コアより柔軟な材料から、または一変形形態としてコアより硬質の材料から作製されうる。
【００４６】
コアは、円形または多角形、特に六角形の横断面を有しうる。歯は、歯の最大幅の半分より大きい範囲にわたって、コアの１つの同じ平坦な面に取り付けられうる。好ましくは、歯は、歯の基部で、コアの１つの同じ平坦な面から、事実上歯の幅全体にわたって延在する。
【００４７】
一変形形態では、コアは捩じられている。
【００４８】
アプリケータ部材は、歯間に位置しうるスパイクを有しうる。一実施形態では、歯およびスパイクは、歯およびスパイクの列中で交互になるように配置されうる。列の中で、各歯は、スパイクに続きうる。
【００４９】
一実施形態では、歯は、分岐（ｂｒａｎｃｈ）から延びうるものであり、分岐は、その端部の一方または両方でコアに固定されうる。アプリケータは、分岐を含み得、各分岐は、歯の列、特に前述の歯およびスパイクの列を保持する。アプリケータは、２〜１０個の分岐、より特に４〜８個の分岐、例えば６つの分岐を含みうる。分岐は、５〜３０個の歯、特に８〜２０個の歯、例えば１０個の歯を保持しうる。分岐は、５〜３０個のスパイク、特に８〜２０個のスパイク、例えば１２個のスパイクを保持しうる。
【００５０】
本発明のさらなる主題は、
前述の本発明によるアプリケータと、
アプリケータを用いてまつ毛および／またはまゆ毛に塗布されるべき製品を収容する容器と
を有する包装および塗布デバイスである。
【００５１】
アプリケータの把持部材は、容器を、密封されるやり方で閉鎖するためのキャップを形成しうる。
【００５２】
容器は、アプリケータを拭き取るための部材を有しうる。
【００５３】
塗布されるべき製品は、マスカラまたはケア製品であり得る。
【００５４】
本発明のさらなる主題は、本発明によるアプリケータを用いてまつ毛および／またはまゆ毛をメイクアップする方法である。
【００５５】
本発明は、本発明の非限定的な例示に関する以下の詳細な説明を読み、そして添付の図面を検討すれば、よりよく理解されうる。
【図面の簡単な説明】
【００５６】
【図１】本発明によって作製される包装および塗布デバイスの一例の縦断面における概略的部分図である。
【図２】正面図で見た本発明による歯のそれ自体の概略図である。
【図２Ａ】図２の歯の詳細図である。
【図３】歯の変形実施形態の図２に類似の図である。
【図４】歯の変形実施形態の図２に類似の図である。
【図５Ａ】図２の歯のＶ−Ｖ上の横断面図である。
【図５Ｂ】変形実施形態の図５Ａに類似の図である。
【図５Ｃ】変形実施形態の図５Ａに類似の図である。
【図６】本発明によるアプリケータ部材の概略的部分上面図である。
【図７】本発明によるアプリケータ部材の概略的部分上面図である。
【図８】本発明によるアプリケータ部材の概略的部分上面図である。
【図９】本発明によるアプリケータ部材の概略的部分上面図である。
【図１０】連続する歯の相対的な位置決めの異なる変形形態を示す概略側面図である。
【図１１】連続する歯の相対的な位置決めの異なる変形形態を示す概略側面図である。
【図１２】連続する歯の相対的な位置決めの異なる変形形態を示す概略側面図である。
【図１３】本発明による歯の変形実施形態の図２に類似の図である。
【図１４】本発明による歯の変形実施形態の図２に類似の図である。
【図１５】本発明による歯の変形実施形態の図２に類似の図である。
【図１６】本発明によって作製されるアプリケータの概略的部分側面図である。
【図１７】図１６のアプリケータの矢印ＸＶＩＩに従う正面図である。
【図１８】図１６のアプリケータのＸＶＩＩＩの詳細図である。
【図１９】図１６のアプリケータの斜視図である。
【図２０】図１９のアプリケータのＸＸの詳細図である。
【発明を実施するための形態】
【００５７】
図１に示す包装および塗布デバイス１は、まつ毛および／またはまゆ毛に塗布されるべき製品Ｐを収容する容器３と、容器３に取り外し可能に固定されうる、上記製品Ｐを塗布するアプリケータ２とを有する。
【００５８】
アプリケータ２は、以下に詳細に説明される本発明によるアプリケータ部材８を有し、上記アプリケータ部材８は、心棒７によって把持部材５に連結され、把持部材５はまた、容器３を閉鎖する部材を形成する。この閉鎖部材５は、例えば、図示のように、容器を、密封されるやり方で閉鎖するために容器のねじ切りされたネック９上へねじ込まれるように設計されたキャップである。一変形形態では、アプリケータ２は、何らかの他の方法で容器３に固定されることができる。
【００５９】
ネック９は、図示のように、例えばネック９内へ挿入される拭き取り部材６を収容しうる。この拭き取り部材６は、例えば、心棒７の直径に適合された直径を有する拭き取りオリフィスを画定するリップを有する。拭き取り部材６は、任意のタイプであり得、容器３に連結され、または容器３とともに成形されうる。拭き取り部材６はまた、調整可能であり得る。一変形形態では、容器３のネック９が取り付けられうる。
【００６０】
図示の例では、心棒７は直線の長手方向軸Ｙを有するが、心棒７が直線でない場合、これは本発明の範囲から逸脱するものではない。心棒７は、その遠位端に、任意的に環状の溝を備えた可撓性部分を有し得、このときアプリケータ部材８は、この可撓性部分に取り付けられる。
【００６１】
製品Ｐは、まつ毛および／またはまゆ毛に塗布されることが意図される。製品Ｐは、他の顔料の中でもとりわけ酸化鉄を含み、処方に応じて水性溶媒または有機溶媒を含みうる。
【００６２】
必要な場合、心棒７は、容器３内にアプリケータ２を収納している間に拭き取り部材６に必要以上に機械的な応力を加えないように、拭き取り部材６のリップに対向して位置する部分に環状の狭まった部分（ｎａｒｒｏｗｉｎｇ）を有しうる。
【００６３】
アプリケータ部材８は、様々な方法で心棒７に連結され得、例えば、図示のように、そのハウジング中に固定されるように設計された末端部４を有する。
【００６４】
アプリケータ部材８は、心棒７の端部に設けられた対応するハウジングにおいて、任意の手段によって、特に圧入、ステープル止め、スナップ締め、接着剤による接合、溶接、または圧着によって、心棒７に固定されうる。一変形形態として、心棒７は、コア１０に設けられたハウジング中に挿入されうるものであり、または心棒およびコアは、少なくとも部分的に一体として、例えば材料の成形によって作製されうる。
【００６５】
アプリケータ部材８は、歯２０を保持するコア１０を有する。
【００６６】
コア１０は、長手方向軸Ｘに沿って細長い形状を有し、長手方向軸Ｘは、直線または曲線、好ましくは直線であり得、そして中心であり得る。
【００６７】
コア１０は、その長さの大部分に沿って、円形または多角形、特に六角形の横断面を有しうる。歯２０は、コア１０の周り全体にわたって延在し得る。一変形形態では、コア１０の一部分のみが歯２０を保持する。
【００６８】
コア１０は、比較的剛性であるか否かにかかわらず、熱可塑性材料、例えばＳＥＢＳ、シリコーン、ラテックス、ブチル、ＥＰＤＭ、ニトリル、熱可塑性エラストマー、ポリエステルエラストマー、ポリアミドエラストマー、ポリエチレンエラストマー、もしくはビニルエラストマー、ポリオレフィン、例えばＰＥもしくはＰＰ、ＰＶＣ、ＥＶＡ、ＰＳ、ＰＥＴ、ＰＯＭ、ＰＡ、またはＰＭＭＡから作られうる。特に、Ｈｙｔｒｅｌ（登録商標）、Ｃａｒｉｆｌｅｘ（登録商標）、Ａｌｉｘｉｎｅ（登録商標）、Ｓａｎｔｏｐｒｅｎｅ（登録商標）、Ｐｅｂａｘ（登録商標）という商標名で知られている材料を使用することが可能であるが、この一覧は限定的でない。
【００６９】
コア１０は、捩じられうるものであり、このとき歯２０は、コアによって作られた捩じれをたどる。
【００７０】
歯２０はそれぞれ、コア１０から外方へ自由端２６の方向に長手方向軸Ｚに沿って延在する。
【００７１】
歯２０は、好ましくは、コア１０の少なくとも一部と、より良好にはコア１０のすべてと同じ材料から作られる。歯２０は、好ましくは、熱可塑性材料の成形によってコア１０と一体に作製される。
【００７２】
一変形形態では、歯２０およびコア１０は、異なる材料から作られる。歯２０は、例えば、コア１０中の開口部を通って成形される。歯２０は、コアより柔軟な材料から、または一変形形態としてコアより硬質の材料から作製されうる。
【００７３】
歯２０は、底部２１および頂部２２を有する。歯２０は、歯の自由端２６でぶつかる２つの向かい合う縁部２４、２５を有する。
【００７４】
図２に示すように、本発明による歯２０は、正面図で、歯の自由端２６の方向に歯の頂部２２に沿って細くなる。すなわち歯２０の幅は頂部に向かって減少する。
【００７５】
歯２０の長手方向軸Ｚに直交して測定される歯２０の最大寸法として画定される各歯２０の最大幅Ｌは、１ｍｍ〜４ｍｍ、より良好には１．５ｍｍ〜３ｍｍであり得る。この最大幅Ｌは、好ましくは、図２に示すように、歯２０の基部から測定される。
【００７６】
好ましくは、図２に示すように、各歯２０の自由端２６は、正面図において先細りにされており、特に、アプリケータ部材８がまつ毛に入りそしてまつ毛を分離するのをより容易にするところの点を形成する。
【００７７】
図２および図２Ａに示す例では、歯２０の縁部２４および２５は、歯の底部２１では直線部分によって形成され、各縁部は、頂部２２にわたって曲線をたどり、変曲点として知られるそれぞれ点Ｐ１およびＰ２で、凹形を変化させる。したがって、各点Ｐ１およびＰ２での接線は、図２Ａに特に見られ得るように、縁部２４によってたどられる曲線を横切る。
【００７８】
変曲点Ｐ１の勾配、すなわち縁部２４によってたどられる曲線に対するこの点における接線Ｔ１と軸Ｚとの間に形成される角度λは、３０°〜６０°であり得、隣接する縁部は、図２Ａで軸Ｚに対して平行な軸Ｒのものである。
【００７９】
図２および図２Ａの例では、変曲点Ｐ１は、歯２０の中央平面Ｍと軸Ｒを収容する平行な平面との間のほぼ中間に位置する。
【００８０】
図２に示す例では、２つの縁部２４および２５の変曲点は、同じ勾配を有し、歯の上の同じ軸位置に作られている。したがって、歯２０は、正面図において対称の形状を有する。
【００８１】
一変形形態として、歯２０は、正面図において非対称の形状を有し、図３に示すように、縁部２４のみが変曲点を有し、または図４に示すように、歯２０の２つの向かい合う縁部２４、２５がそれぞれ変曲点を有するが、これらの変曲点は互いに、異なる勾配を有し、かつ歯の異なる軸位置に作られている。
【００８２】
歯２０は、歯２０の底部２１において任意の形状の横断面、例えば図５Ａに示すように方形の横断面、図５Ｂに示すように卵形の横断面、または図５Ｃに示すように円形の横断面を有しうる。
【００８３】
図６〜９は、アプリケータ部材８を上面図で示す。すなわちコア１０の長手方向軸Ｘに対して平行でありかつ歯２０の長手方向軸Ｚに直交する平面上への投影図で示す。
【００８４】
これらの図に示すように、各歯２０は、コア１０の長手方向軸Ｘに直交する方へ向けられた平坦化面Ｗに沿って平坦にされた横断面を有する。歯２０の最大幅Ｌと歯２０の最大厚さｌとの比Ｌ／ｌは、２以上、より良好には３以上であり得る。
【００８５】
歯２０はまた、側面図で、歯２０の自由端２６の方向に、歯２０の高さの少なくとも一部にわたって、特に歯２０の頂部２２において、より薄くなりうる。すなわち歯２０の長手方向軸Ｚに直交して測定される歯２０の厚さは、歯２０の自由端の方向に頂部に向かって減少する。
【００８６】
各歯２０の最大厚さｌは、０．２ｍｍ〜１ｍｍ、より良好には０．４ｍｍ〜０．８ｍｍであり得る。高さの中間の各歯２０の厚さは、０．５ｍｍ以下であり得る。
【００８７】
図６〜１１に示すように、歯２０は、コア１０上で少なくとも１つの長手方向列３０に配置される。図６に示す例では、列３０における歯２０は、互いに厳密に位置合わせされている。図７の変形形態では、歯２０は、列３０において互いに対してずらされ、互い違いにされた列で配置されている。
【００８８】
歯２０の平坦化面Ｗは、上面図において、図６〜８に示すように、コア１０の長手方向軸Ｘに対して角度αを形成し、側面図で、図９〜１１に示すように、コア１０の長手方向軸Ｘに対して角度γを形成しうる。角度αおよびγは、好ましくは、６０°〜１２０°である。
【００８９】
図６および図７に示すように、歯２０は、好ましくは、コア１０の長手方向軸Ｘに直交し、角度αおよびγは９０°に等しい。
【００９０】
図８に示す一変形形態では、歯２０は、コア１０の長手方向軸Ｘに対して斜めであり、角度αは９０°以外であり、角度γは９０°に等しい。
【００９１】
図９に示すさらなる変形形態では、歯２０の平坦化面Ｗは、コア１０の長手方向軸Ｘに沿って延在し、角度αはゼロである。
【００９２】
図示しない一変形形態では、歯２０は、コア１０の長手方向軸Ｘに対して傾斜しており、角度αは９０°に等しく、角度γは９０°以外である。
【００９３】
図１０の例では、長手方向列３０における歯２０はすべて同じ高さｈであり、高さｈは、歯２０の長手方向軸Ｚに沿った歯２０の寸法である。
【００９４】
図１１に示す一変形形態では、歯２０は、歯同士で一定でない高さｈを有する。この場合、頂部２２の高さは、歯同士で一定であり、下方部分２１の高さは、歯同士で一定でなく、特に０．５ｍｍ〜５ｍｍ、より良好には１ｍｍ〜４ｍｍである。
【００９５】
各歯２０の高さｈは、５ｍｍ以下、より良好には３ｍｍ以下であり得る。
【００９６】
前述の例では、単一の長手方向列３０における歯２０間の間隔ｅは一定である。図１２に示す一変形形態では、歯２０間の間隔は一定でない。
【００９７】
図１３に示すように、歯２０の縁部２４および２５はそれぞれ、頂部２２と底部２１との間の接合部に隆起部３５を有しうる。一変形形態では、この隆起部は存在しない。
【００９８】
図１４に示す変形実施形態では、歯２０はノッチ３３を有し、ノッチ３３は、例えば、端部２６の領域において歯の内部から歯の周辺部に向かって延在する小さい開口部の形である。ノッチ３３は、貫通ノッチである。図示しない一変形形態では、歯２０は、複数のノッチを有する。これらのノッチの数、形状、および／または位置は、歯２０同士で互いに変動しうる。
【００９９】
図示しない一変形形態では、歯２０は、その表面に少なくとも１つの凹部および／もしくは窪みを有し、ならびに／または歯２０を貫通する開口部、例えば歯２０の平坦化面Ｗに直交する軸を有する開口部を有する。歯は、少なくとも部分的にフロック加工されうる。
【０１００】
図１５に示す変形形態では、歯２０は、その自由端２６に、例えば歯の材料を融解することによって形成された、丸いヘッド３４を備える。
【０１０１】
本発明は、前述の例示的な実施形態に限定されるものではなく、それらの特徴は、図示しない変形形態の一部として互いに組み合わせられうる。
【０１０２】
前述の例では、縁部２４、２５の直線部分は、歯２０の底部２１において互いに対して平行である。図示しない一変形形態では、縁部２４、２５の直線部分は互いに対して平行でなく、歯２０の自由端２６の方向に、互いに向かって収束し、または互いから離れる方へ発散する。
【０１０３】
アプリケータ部材は、歯間に位置しうるスパイクを有しうる。図１６〜２０に示す実施形態では、歯２０およびスパイク５０は、歯２０およびスパイク５０の列５５において交互になるように配置される。列において、列５５の端部のスパイクを除いて、各歯２０はスパイク５０に続き、各スパイク５０は歯２０に続く。
【０１０４】
さらに、この実施形態では、歯２０は、分岐６０から延び、分岐６０は、その端部６１および６２の各々でコア１０に固定される。アプリケータは、６つの分岐を備え、各分岐は、前述の歯およびスパイクの列を保持する。分岐は、約１０個の歯２０および約１２個のスパイク５０を保持する。
【０１０５】
さらに、この実施形態では、歯２０の底部における歯の幅Ｌは、厳密には、上記歯２０の最大幅を下回る。すなわち歯２０の幅Ｌは、図２０に示すように、歯の基部に向かって減少する。
【０１０６】
アプリケータ部材は振動し得る。すなわち、製品の塗布中、コーミング中、またはピックアップ中に、振動がアプリケータ部材に印加されうる。
【０１０７】
一変形形態では、アプリケータ部材は回転し得る。すなわち、例えば製品の塗布中、まつ毛のコーミング中、または製品のピックアップ中に、コアの長手方向軸の周りで回転運動を行うことがなされ得る。
【０１０８】
さらなる変形形態では、アプリケータ部材は加熱される。すなわちアプリケータ部材は、まつ毛および／またはまゆ毛、および／またはアプリケータ部材の歯および／またはコアを加熱する加熱要素を有しうる。
【０１０９】
アプリケータ部材はまた、振動することができ、および／または回転することができ、および／または加熱されうる。
【０１１０】
歯は、粗さを有しうるものであり、またはまつ毛またはまゆ毛上での摺動を促進する化学的もしくは機械的処置を受けうる。
【０１１１】
歯は、静菌特性を有する材料および／または磁気材料を含みうる。
【０１１２】
逆のことが指定されない限り、「・・・を有する」という表現は、「少なくとも１つを有する」と同義であると理解されるべきであり、「〜」は、境界を含むと理解されたい。
【図１】
0006529011.tif 000002
【図２】
0006529011.tif 000003
【図２Ａ】
0006529011.tif 000004
【図３】
0006529011.tif 000005
【図４】
0006529011.tif 000006
【図５Ａ】
0006529011.tif 000007
【図５Ｂ】
0006529011.tif 000008
【図５Ｃ】
0006529011.tif 000009
【図６】
0006529011.tif 000010
【図７】
0006529011.tif 000011
【図８】
0006529011.tif 000012
【図９】
0006529011.tif 000013
【図１０】
0006529011.tif 000014
【図１１】
0006529011.tif 000015
【図１２】
0006529011.tif 000016
【図１３】
0006529011.tif 000017
【図１４】
0006529011.tif 000018
【図１５】
0006529011.tif 000019
【図１６】
0006529011.tif 000020
【図１７】
0006529011.tif 000021
【図１８】
0006529011.tif 000022
【図１９−２０】
0006529011.tif 000023